(57)【要約】【課題】施工性に優れ且つパネルの取付及び取外しの作業性に優れるパネル体を提供する。【解決手段】本発明のパネル体１において、取付材５はパネル７のコ字内に呑み込まれる凸部２５と、凸部２５、２５間に位置してパネル脱着時にパネル７が取付材長手方向へ移動するのを可能にする凹部２７と、躯体側に弾性変形可能な弾性片２９とを有している。パネル７の一方の側板１３に設けた内側係合突部２１は凸部２５の係合溝３３に係合し、他方の側板１５に設けた外側係合突部１７は内側係合突部２１が係合している凸部２５の隣りにある凸部２５において、内側係合突部用の係合溝３３よりも躯体側にある係合溝３５に係合している。【選択図】　　　図１
2004124666.tif 000002
【特許請求の範囲】
【請求項１】
間隔をおいて躯体に固定した複数の長尺の取付材と、取付材間に架設する複数のパネルとを備え、パネルは、基板と、基板から躯体側に突設する一方及び他方の側板とで略コ字形状を形成してあり、一方の側板は他方の側板側と反対側に突設した外側係合突部を有し、他方の側板は一方の側板側に突設する内側係合突部を有し、取付材はパネルのコ字内に呑み込まれる凸部と、凸部間に位置してパネル脱着時にパネルが取付材長手方向へ移動するのを可能にする凹部と、一方の側板の躯体側端縁に当接してパネルが取付材長手方向へ移動するのを規制し且つ躯体側に弾性変形可能な弾性片とを有しており、凸部は他方の側板が対向する側の端縁に、内側係合突部が係合する係合溝と、内側係合突部の係合溝よりも躯体側に位置して外側係合突部が係合する係合溝とを有しており、パネルの外側係合突部は内側係合突部が係合している凸部の隣りにある凸部の係合溝に係合していることを特徴とするパネル体。
【請求項２】
パネルは、一方及び他方の側板のそれぞれの外面にパネル取り外し治具の係止部を備え、係止部間に係止したパネル取り外し治具の回転操作により係止部間を押し広げてパネルを取付材長手方向に移動することにより、パネルを取り外し可能としてあることを特徴とする請求項１に記載のパネル体。
【発明の詳細な説明】
【０００１】
【発明の属する技術分野】
本発明は、天井等のパネル体に関する。
【０００２】
【従来の技術】
実用新案登録第２５６４０６６号公報には、躯体に複数の長尺の取付材を設け、取付材に所定間隔をあけて係止材をビス止めして、係止材にパネルの他方の側板に設けた内側係合突部を係止し、パネルの一方の側板に設けた外側係合突部を隣りのパネルの内側係止部の上に載せるとともに、パネルを弾性片の付勢力により係止材に当接させた構成が開示されている。
【０００３】
【発明が解決しようとする課題】
しかし、上述の従来技術では、取付材に係止材を一つ一つビス止めして、係止材間にパネルを架設するものであるから、ビス止め作業に手間がかかり、施工性に劣るという問題がある。
また、パネルを係止材に取り付ける際には、弾性片の付勢力に抗して弾性片を縮めるようにパネルを取付材の長手方向にスライドして弾性片を変形させた後、弾性片の付勢力でパネルを係止材に当接させるようにしているので、パネルの取付及び取り外しのときには、弾性片の付勢力に抗して弾性片を縮める必要があり、作業性に劣るという問題がある。
そこで、本発明は、施工性に優れ且つパネルの取付及び取り外しの作業性に優れるパネル体の提供を目的とする。
【０００４】
【課題を解決するための手段】
請求項１に記載の発明は、間隔をおいて躯体に固定した複数の長尺の取付材と、取付材間に架設する複数のパネルとを備え、パネルは、基板と、基板から躯体側に突設する一方及び他方の側板とで略コ字形状を形成してあり、一方の側板は他方の側板側と反対側に突設した外側係合突部を有し、他方の側板は一方の側板側に突設する内側係合突部を有し、取付材はパネルのコ字内に呑み込まれる凸部と、凸部間に位置してパネル脱着時にパネルが取付材長手方向へ移動するのを可能にする凹部と、一方の側板の躯体側端縁に当接してパネルが取付材長手方向へ移動するのを規制し且つ躯体側に弾性変形可能な弾性片とを有しており、凸部は他方の側板が対向する側の端縁に、内側係合突部が係合する係合溝と、内側係合突部の係合溝よりも躯体側に位置して外側係合突部が係合する係合溝とを有しており、パネルの外側係合突部は内側係合突部が係合している凸部の隣りにある凸部の係合溝に係合していることを特徴とする。
【０００５】
この請求項１に記載の発明では、施工の際には、躯体に各取り付け材を固定し、次に、取付材間にパネルを架設する。パネルの架設は、取付材の凸部を呑み込むようにしてパネルを配置し、パネルの外側係合突部と内側係合突部とは凸部の両側にある凹部にそれぞれ位置させる。次に、取付材の長手方向に沿ってパネルをスライドさせる。これにより、パネルの一方の側板にある外側係合突部が凸部に設けた外側係合突部用の係合溝に係合し、同時に、パネルの他方の側板にある内側係合突部が隣りの凸部に設けた内側係合突部用の係合溝に係合する。
パネルをスライドするときにパネルの一方の側板の躯体側端縁が弾性片を躯体側に弾性変形させて弾性片を乗り越えて移動し、パネルの各係合突部が凸部の対応する係合溝に係合する。このようにして各パネルを取付材に順次装着する。各パネルの架設後は、パネルが復帰した弾性片に当接して、取付材長手方向への移動が規制されるので、パネルは係合が外れる方向への移動が阻止され、パネルの外れを防止できる。
施工時には、取付材を躯体に固定するだけであり、パネルを架設するために従来あるような係止材を用いる必要がないので部品点数が少なくて済む。また、パネルは取付材との係合により固定され、ビス止め作業が必要ないので、作業性に優れる。
パネルの取付作業は、パネルを取付材の凸部を呑み込ませるように配置して取付材の長手方向に沿ってスライドさせるだけであるから、更に作業性が良い。弾性片はパネルがスライドすると、一方の側板の躯体側端縁に押されて躯体側に弾性変形するので、一方の側板の端縁を簡単に乗り越えることができる。
パネルを外す作業は、取り付け作業とは反対方向にパネルをスライドさせることにより、パネルの一方の側板の端縁が弾性片を躯体側に変形させて弾性片を乗り越えて移動する。外側係合突部と、内側係合突部とはそれぞれ係合溝との係合が解除されるとともに凹部に位置するので、そのまま取付材から離すようにしてパネルを外す。パネルの取り外しは、どのパネルからでも取り外しできる。
【０００６】
請求項２に記載の発明は、請求項１に記載の発明において、パネルは、一方及び他方の側板のそれぞれの外面にパネル取り外し治具の係止部を備え、係止部間に係止したパネル取り外し治具の回転操作により係止部間を押し広げてパネルを取付材長手方向に移動することにより、パネルを取り外し可能としてあることを特徴とする。
【０００７】
この請求項２に記載の発明では、上述の請求項１に記載の発明の作用効果を奏するとともに、パネル取り外し治具を回転操作するだけで、パネルを取付材に対して移動し、パネルの取り外しを簡単におこなうことができる。
また、パネル取り外し治具は、回転により係止部間の距離を広げるものであるから、例えば平面視楕円形のような簡易な形状にできるので、パネル取り外し治具の構成が簡易であり且つパネル取り外し治具の製造も容易である。
【０００８】
【発明の実施の形態】
以下に、添付図面を参照して本発明の実施の形態を詳細に説明する。図１は本発明の実施の形態にかかるパネル体を取付材の長手方向に沿って切断した断面図であり、図２は図１のＡ−Ａ断面図であり、図３は図１に示すＢ−Ｂ線で切り取った取付材の斜視図である。
本実施の形態にかかるパネル体１は、天井を構成するものであり、躯体３に固定する取付材５と、取付材５、５間に架設するパネル７とから構成されている。取付材５は長尺であり、間隔をおいて設けたフック９により躯体３に固定されている。フック９は上端を躯体３に係止して、下端が取付材５の溝部に係止して取付材５を吊り下げている。
パネル７は、基板１１と、基板１１において取付材５の長手方向の両側からそれぞれで躯体側に突設した一方の側板１３と他方の側板１５とを備え、基板１１と一方及び他方の側板１３、１５とで断面略コ字形状を形成している。
一方の側板１３には、パネル７が形成するコ字の外側面に、外側係合突部１７が設けられている。外側係合突部１７は突条であり、先端が躯体側に突設して断面略Ｌ字形状に形成されている。
この一方の側板１３の外側面には、外側係合突部１７と基板１１との間にパネル取り外し治具（後述する）３９の係止部１９が設けられている。係止部１９は一方の側板１３の外側面に形成された溝条であり、断面略Ｖ字形状を成している。
他方の側板１５には、パネル７が形成するコ字の内側面に内側係合突部２１が設けられている。内側係合突部２１は突条であり、突設した先端をパネル７が形成するコ字の内側に向けている。
他方の側板１５には、振動吸収材２３の取付部２２が設けてあり、隣りのパネルの外側係合突部１７に振動吸収材２３が当接するようになっている。
基板１１、一方及び他方の側板１３、１５、外側係合突部１７、内側係合突部２１、そして振動吸収材取付部２２はそれぞれ一体に形成されている。
取付材５は、略コ字の溝部６にフック９を係止し、コ字を形成する一方の側壁２４に凸部２５が設けてある。凸部２５は取付材５の長手方向に間隔をおいて形成されており、隣り合う凸部２５、２５間には凹部２７が形成されている。凸部２５はパネル７のコ字の内側に呑み込まれ、パネル７が取り付けられると外から見えないようになっている。
取付材５の底壁２６には、弾性片２９が設けられている。この弾性片２９は、底壁２６を切り起こして略Ｖ字形状に加工したもので、弾性片２９から取付材５の長手方向に切れ目３１が形成されて板バネ状になっており、躯体側に向けて弾性変形するようになっている。この弾性片２９には、パネル７における一方の側板の躯体側端縁１３ａが当接して、パネル７が取付材５の長手方向に移動してパネル７が取付材５から外れるのを規制している。
凸部２５は、取付材５の長手方向の一方側端縁２８に、内側係合突部用の係合溝３３及び外側係合突部用の係合溝３５が形成されている。内側係合突部用の係合溝３３には、パネルの内側係合突部２１が挿入されて、係合されている。外側係合突部用の係合溝３５は、内側係合突部用の係合溝３３よりも躯体側にあり、隣りのパネルの外側係合突部１７が係合されている。
取付材５は、断面略コ字形状の押出形材を加工して製造したものであり、押出形材を抜き打ち加工することにより、上述した凸部２５及び係合溝３３、３５を同時に形成し、弾性片２９は、溝部６の底壁２６をプレス加工することにより容易に形成できる。このように、取付材５は、押出形材を用いることにより、製造が容易である。
ここで、パネル取り外し治具３９について説明する。パネル取り外し治具３９（図１に一点鎖線で示す）は、被係止部４０と、操作部４１とから構成されており、被係止部４０は平面視略楕円形状の板材であり、操作部４１は被係止部４０の中心に取り付けられた柄である。被係止部４０は平面視が楕円であるから平面に短軸と長軸とを有する形状であり、被係止部４０の短軸側の縁が対向するパネルの一方の側板１３と他方の側板１５とのそれぞれに形成された両係止部１９、１９に係止させた状態で、操作部４１を回転操作することにより両係止部１９、１９に長軸側の縁が位置し、隣り合うパネル７、７を互いに離れるように押し広げ、一方のパネル７を取付材５の長手方向にスライドさせるものである。
【０００９】
次に、本実施の形態にかかるパネル体１の施工、パネルの取付及び取り外しについて説明する。パネル体１の施工は、躯体３にフック９を掛け、フック９に各取付材５を取り付けて、躯体３に取付材５を固定する。次に、取付材５、５間にパネル７を架設する。
パネル７の架設は、図１に一点鎖線で示すように、取付材５の下方から矢印Ｅ方向にパネル７を移動し、凸部２５を呑み込むようにしてパネル７を取付材５に配置するとともに、パネルの一方の側板１３と他方の側板１５とを凸部２５の両側にある凹部２７、２７にそれぞれ配置する。その後、矢印Ｆで示すようにパネル７を凸部２５の一方側端縁２８に向けて取付材５の長手方向にスライドさせる。パネル７を矢印Ｆ方向にスライドするときに一方の側板１３の躯体側端縁１３ａが弾性片２９を躯体３側に向けて弾性変形するように押圧して、弾性片２９を乗り越えて移動する。弾性片２９は山形をなしているとともに切れ目３１により形成された板バネ部の弾性変形により、パネルの水平移動により除々に躯体３側に押されて、躯体側端縁１３ａの移動を許容する。このようにしてパネル７が水平移動すると、パネル７の一方の側板１３にある外側係合突部１７が凸部２５に形成されている外側係合突部用の係合溝３５に挿入されて、ここに係合される。同時に、パネル７の他方の側板１５にある内側係合突部２１が隣りの凸部２５に形成されている内側係合突部用の係合溝３３に挿入されて、ここに係合される。このようにして各パネル７を取付材５に順次装着する。本実施の形態では、パネル体の施工及びパネルの取り付けにおいて、ビス止め等の作業は一切必要なく、パネル７を取付材５にスライド移動させるだけでパネル７を取付材５に固定することができ、作業性に優れる。
各パネル７が装着された状態では、パネル７の一方の側板１３の躯体側端縁１３ａが基板１１側に突設した弾性片２９に当接して、取付材５の長手方向におけるパネル７の係合が外れる方向への移動が規制され、パネル７の外れを防止できる。また、パネル７の内側係合突部２１の上に隣のパネル７の外側係合突部１７が位置するが、内側係合突部２１と外側係合突部１７との間には振動吸収材２３が介在されており両者のメタルタッチを防止しているので、パネルの振動による金属音の発生を防止できる。
パネル７を外す作業は、まず、図１に示すように、取付材５の凹部２７において、互いに対向するパネル７の一方の側板１３と他方の側板１５との間にパネル取り外し治具３９の被係止部４０を挿入し、両側板１３、１５の係止部１９、１９にそれぞれ被係止部４０の短軸側を係合させた状態で、操作部４１により被係止部４０を回転させる。これにより、両側板１３、１５の係止部１９、１９間では、被係止部４０が短軸側から長軸側に移動するので、両パネル７、７の間が押し広げられ、図１に示す取付方向Ｆとは反対方向に一方のパネル７がスライドする。パネル７のスライドにより、パネル７の一方の側板１３の躯体側端縁１３ａが山形の弾性片２９を除々に躯体３側に押し上げて弾性片２９を乗り越えるようにして移動し、外側係合突部１７と、内側係合突部２１とはそれぞれが係合している係合溝３３、３５との係合が解除され、凸部２５、２５間にある凹部２７に位置するので、パネル７をそのまま下げて取付材５から離す。このようにして、パネル７は、どのパネル７からでも取り外しでき、あるいは一枚だけのパネル７を外すこともできる。
【００１０】
本発明は、上述した実施の形態に限らず、本発明の要旨を逸脱しない範囲で種々変形可能である。
例えば、外側係合突部１７及び内側係合突部２１は、それぞれ一方の側板１３あるいは他方の側板１５に突条に設けることに限らず、間隔をおいて突設するものであってもよい。
外側係合突部１７及び内側係合突部２１は、それぞれ一方の側板１３や他方の側板１５を曲げて形成するものもであっても良い。
パネル体１は天井に限らず、建物の側壁を構成するものであってもよい。
パネル取り外し治具３９の被係止部４０が係止する係止部１９は、溝に限らず、突条とし、パネル取り外し治具３９の被係止部４０が突条に係合する溝を有するものとしても良い。
パネル取り外し治具３９の被係止部４０は平面視略楕円形形状に限らず、平面視略ひょうたん形状等であってもよい。
【００１１】
【発明の効果】
請求項１に記載の発明によれば、取付材に複数の凸部を形成し、凸部の一方側縁に形成した他方の係合溝にパネルの外側係合突部を係合し、凸部の他方の係合溝にパネルの内側係合突部を係合してパネルを取付材に固定する構成であるから、ビス止め作業が必要ないので、作業性に優れる。
パネルを架設するために、従来あるような係止材を用いる必要がないので部品点数が少なくて済む。
各パネルは、弾性片に当接して、取付材長手方向への移動が規制されるので、パネルは係合が外れる方向への移動が阻止され、パネルの外れを防止できる。
パネルの脱着時においてパネルを取付材に沿ってスライドさせるときに、パネルの一方の側板の躯体側端縁が弾性片を躯体側に弾性変形させて弾性片を乗り越える構成であるから、パネルの脱着が容易にできる。
パネルの取付作業は、パネルを取付材の凸部を呑み込ませるように配置して取付材の長手方向に沿ってスライドさせるだけであるから、従来のように弾性部材を縮める必要がなく、作業性が良い。
【００１２】
請求項２に記載の発明によれば、上述の請求項１に記載の発明の効果を奏するとともに、パネルを取り外すときには、パネル取り外し治具を係止部間に係止し、パネル取り外し治具を回転操作するだけで、パネルの取り外しを簡単におこなうことができる。
また、パネル取り外し治具は、回転により係止部間の距離を広げるものであるから、例えば平面視楕円形のような簡易な形状にできるので、パネル取り外し治具の構成が簡易であり且つパネル取り外し治具の製造も容易である。
【００１３】
【図面の簡単な説明】
【図１】本発明の実施の形態にかかるパネル体を取付材の長手方向に沿って切断した断面図である。
【図２】図１のＡ−Ａ断面図である。
【図３】図１に示すＢ−Ｂ線で切り取った取付材の斜視図である。
【符号の説明】
１　　　パネル体
３　　　躯体
５　　　取付材
７　　　パネル
１１　　基板
１３　　一方の側板
１３ａ　躯体側端縁
１５　　他方の側板
１７　　外側係合突部
１９　　係止部
２１　　内側係合突部
２５　　凸部
２７　　凹部
２８　　一方側端縁
２９　　弾性片
３３　　内側係合突部用の係合溝
３５　　外側係合突部用の係合溝
３９　　パネル取り外し治具
【図１】
2004124666.tif 000003
【図２】
2004124666.tif 000004
【図３】
2004124666.tif 000005